(57)【要約】【課題】開口部にドア体を開閉揺動自在に設けた開き戸装置において、開放規制装置をドア厚の異なるドア体にも兼用化できるように構成する。【解決手段】開放規制装置Ｓを構成するドア体側固定部材８を、第一、第二脚片９ａ、９ｂ、１０ａ、１０ｂを備えた一対の内外側Ｌ字部材９、１０で構成し、一方の脚片９ａ、１０ａ同士をドア体４上部の内外面４ｃ、４ｅにそれぞれ突当て、他方の脚片９ｂ、１０ｂ同士をドア体上端面４ｄにおいて上下方向に積層してドア体４にドア体固定用螺子１１を用いて固定する構成とする。【選択図】図３
2011137304.tif 000002
【特許請求の範囲】
【請求項１】
躯体開口部を開閉揺動するドア体からなる開き戸装置において、ドア体が所定の開放位置を越えて開放揺動するのを規制する開放規制装置を、躯体側部材の戸尻側部位に固定される躯体側固定部材と、基端部が躯体側固定部材に枢支連結される長尺状のアーム体と、アーム体の長尺方向先端側部位に開設された長孔に上端部が移動自在に貫通する作動ピンと、ドア体上端部の戸尻側部位に固定され、前記作動ピンの下端部が固定されるドア体側固定部材とを備えて構成するにあたり、前記ドア体側固定部材を、第一、第二脚片を備えた一対のＬ字部材で構成し、一方の脚片同士をドア体上部の内外面に突当て、他方の脚片同士をドア体上端面において上下方向に積層してドア体に固定する構成としたことを特徴とする開き戸装置における開放規制装置。
【請求項２】
一対のＬ字部材のうち少なくとも一方のＬ字部材は、第一、第二脚片が異なる長さに形成されていることを特徴とする請求項１に記載の開き戸装置における開放規制装置。
【請求項３】
ドア体上端面において上側に積層するＬ字部材は、外側面に、ドア体への固定部と、作動ピンの固定部とを位置決めするライン状の浅溝がドア体の幅方向に所定間隙を存して形成されていることを特徴とする請求項１または２に記載の開き戸装置における開放規制装置。
【発明の詳細な説明】
【技術分野】
【０００１】
本発明は、公共施設に設けられるトイレブース等を構成する開き戸装置における開放規制装置の技術分野に関するものである。
【背景技術】
【０００２】
一般に、学校や病院、あるいは、高速道路のサービスエリア等に設けられるトイレブースのなかには、出入り口部となる開口部に開閉揺動自在なドア体を支持してなる開き戸装置を設け、ドア体を通路方向に開閉させる所謂外開き式とすることがある。このように、外開き式に設けられた開き戸装置においては、ドア体が予め設定される所定の開放位置（例えば９０度の開放角度位置）を越えて開放することが想定されるため、ドア体と躯体側部材（フレーム材、ドア枠）との間に、例えばドアクローザーのような開放規制装置を設けてドア体の開放揺動を規制することが要求されるが、ドアクローザーは構成が複雑、かつ、重量化されており、トイレブースに設けられるような軽量化されたドア体に設けるには好適でない。
ところで、外開き式の窓装置に設けられた開放規制装置として、躯体側部材である窓枠下部の戸先側部位に固定される躯体側固定部材と、窓体下端面の戸尻側部位に固定される窓体側固定部材と、これらのあいだを連結するベース部材とアーム部材とを用いて構成されたものが提唱されており、このものでは、窓体の開放揺動に伴い、ベース部材とアーム部材とが所定の範囲内においてスライド変位および揺動変位をすることにより窓体の開放規制をするようにしている。
【先行技術文献】
【特許文献】
【０００３】
【特許文献１】特開２００９−１９１４８４号公報
【発明の概要】
【発明が解決しようとする課題】
【０００４】
前記従来のものにおいて、アーム部材を窓体側に連結する窓体側固定部材は平板状のプレート体に形成されており、該プレート体は、窓体を構成する枠体の下端面に突当てて螺子止め等の手段により一体的に固定されている。そして、窓体が強い力で開放されたり、開放された窓体に強風が吹き付ける等して、窓体に対して開放方向の衝撃的な負荷が作用した場合では、ベース部材、アーム部材、さらには、窓体側固定部材、躯体側固定部材に大きな負荷が作用する。
一方、トイレブースを構成するような軽量なドア体は、例えばＭＤＦボード（中密度繊維板）等の比較的強度の低い材質を用いて形成されることがあり、このものに前記従来のような開放規制装置を設けた場合では、ドア体のドア厚方向の端面にプレート状のドア体側固定部材が螺子止め等により固定されることになるが、ドア体の強度が比較的低く固定部における螺着力を大きく確保することができない。このため、ドア体が強く開放されるような衝撃的な大きな負荷（力）が作用したときに、前記ドア体側の固定部に作用する負荷がドア体の端面に集中して、螺子が外れてドア体側固定部材が脱落してしまう惧れがあるばかりでなく、前記ドア体の端面が破損して、再度開放規制装置を取り付けることができないような惧れもあり、このような構成の開放規制装置を軽量なドア体に採用することには問題がある。そこで、ドア体側固定部材をプレート状のものから断面コ字状に折曲したものに構成し、前記ドア体への負荷をドア体のドア厚方向の端面だけでなく、ドア体の表裏面にも分散して受けることができるように構成することが考えられる。しかるに、このようにしたものでは、板厚の異なる複数の仕様のドア体を設ける場合に、各ドア体の板厚に対応する複数の仕様のドア体側固定部材を用意しなければならないという問題が生じ、ここに本発明の解決すべき課題がある。
【課題を解決するための手段】
【０００５】
本発明は、上記の如き実情に鑑みこれらの課題を解決することを目的として創作されたものであって、請求項１の発明は、躯体開口部を開閉揺動するドア体からなる開き戸装置において、ドア体が所定の開放位置を越えて開放揺動するのを規制する開放規制装置を、躯体側部材の戸尻側部位に固定される躯体側固定部材と、基端部が躯体側固定部材に枢支連結される長尺状のアーム体と、アーム体の長尺方向先端側部位に開設された長孔に上端部が移動自在に貫通する作動ピンと、ドア体上端部の戸尻側部位に固定され、前記作動ピンの下端部が固定されるドア体側固定部材とを備えて構成するにあたり、前記ドア体側固定部材を、第一、第二脚片を備えた一対のＬ字部材で構成し、一方の脚片同士をドア体上部の内外面に突当て、他方の脚片同士をドア体上端面において上下方向に積層してドア体に固定する構成としたことを特徴とする開き戸装置における開放規制装置である。
請求項２の発明において、一対のＬ字部材のうち少なくとも一方のＬ字部材は、第一、第二脚片が異なる長さに形成されていることを特徴とする請求項１に記載の開き戸装置における開放規制装置である。
請求項３の発明において、ドア体上端面において上側に積層するＬ字部材は、外側面に、ドア体への固定部と、作動ピンの固定部とを位置決めするライン状の浅溝がドア体の幅方向に所定間隙を存して形成されていることを特徴とする請求項１または２に記載の開き戸装置における開放規制装置である。
【発明の効果】
【０００６】
請求項１の発明とすることにより、一組の内外Ｌ字部材を用意するだけで、異なるドア厚のドア体のドア体側固定部材として組込むことができ、開放規制装置の兼用化が図れる。
請求項２の発明とすることにより、さらなる部材の兼用化を図ることができる。
請求項３の発明とすることにより、ドア体側固定部材の取付け作業の作業性を向上できる。
【図面の簡単な説明】
【０００７】
【図１】トイレブースの正面図である。
【図２】開放規制装置の正面図である。
【図３】開放規制装置の作用を説明する平面図である。
【図４】ドア体側固定部材の組込み状態を説明する斜視図である。
【図５】図５（Ａ）、（Ｂ）、（Ｃ）はそれぞれ異なるドア厚のドア体にドア体側固定部材を組込んだ状態を説明する断面図である。
【図６】第二の実施の形態のドア体側固定部材の組込み状態を説明する斜視図である。
【図７】図７（Ａ）、（Ｂ）、（Ｃ）はそれぞれ第二の実施の形態のドア体側固定部材を異なるドア厚のドア体に組込んだ状態を説明する断面図である。
【発明を実施するための形態】
【０００８】
以下、本発明の第一の実施の形態について、図面に基づいて説明する。
図面において、１は広い空間に左右方向に並列して設けられる複数のトイレブースのうち左側端に位置するトイレブースであって、該トイレブース１の出入り口側の部位は、躯体側に固定される上下の金属製のフレーム体２、３（躯体側部材）に支持される左右のパネル体１ａ、１ｂ（ＭＤＦボード製）により、通路とトイレブース１との間が仕切られるように構成されている。そして、これらパネル体１ａ、１ｂと上フレーム体２により囲繞される空間が、トイレブース１への出入り口部Ｈ（開口部）を構成している。
【０００９】
前記出入り口部Ｈには、外開き式の開き戸装置が設けられている。前記外開き式の開き戸装置のドア体４は、所定の板厚を有したＭＤＦボードを用いて構成されており、ドア体４の右側端部（戸尻側端部）の上下端部が、上下フレーム体２、３にそれぞれ支持される上下のヒンジ部材４ａ、４ｂにより揺動自在に枢支されている。これによって、ドア体４は、開口部Ｈを閉鎖する全閉姿勢と、トイレブース１の室外側（通路側）に向けて（外開きに）揺動して開口部Ｈを開放する開放姿勢との間を揺動変姿するように構成されている。
尚、４ｃはドア体４を開閉操作するときの把手である。
【００１０】
そして、ドア体４と躯体側部材である上フレーム体２とのあいだには、本発明が実施された開放規制装置Ｓが設けられており、ドア体４が所定の開放角度（例えば９０度）で開放された全開姿勢を越えて開放揺動することがないよう、開放揺動が規制されるように構成されている。
前記開放規制装置Ｓを構成する躯体側固定部材５は、金属製の四角形状のプレート板で構成されており、全閉姿勢のドア体４に対向する上フレーム体２下面の戸尻側部位に、一対の螺子５ａを用いて一体的に固定されている。そして、躯体側固定部材５の一対の螺子５ａの左右方向中間部（ドア体４の幅（以後、ドア幅）方向中間部）には、下方に突出する連結ピン６の上端部が固定支持されて、連結ピン６の下方部位が下方に向けて突出配設されている。
７は躯体側固定部材５に連結されるアーム体であって、該アーム体７は、ドア体４のドア厚よりも幅狭な板幅を有した長尺状の金属製プレート板で構成されている。そして、アーム体７の長尺方向一端部（戸尻側部位）には板厚方向に貫通する貫通孔７ａが形成されており、該貫通孔７ａを、躯体側固定部材５から突出する連結ピン６に遊嵌させ、連結ピン６の下端部にストッパ片６ａを嵌着することにより、アーム体７が連結ピン６から抜止めされる状態で躯体側固定部材５に枢支連結されている。これによって、アーム体７は、板面がドア体４の上端面に沿う状態で連結ピン６を枢軸としてドア体４の開閉方向（室内外方向）への回転揺動が自在となるように構成されている。さらに、前記アーム体７の長尺方向他端部（戸先側部）には、長尺方向に長く、板厚方向に貫通する長孔７ｂが開設されている。
【００１１】
一方、ドア体４の上端部戸尻側部位であって、ドア体４の全閉姿勢において躯体側固定部材５の配設位置よりも戸先側に位置する部位にドア体側固定部材８が固定されている。前記ドア体側固定部材８は金属製の一対のＬ字部材９、１０を用いて構成されており、各Ｌ字部材９、１０はそれぞれ第一、第二脚片９ａ、９ｂ、１０ａ、１０ｂを備えて構成されている。そして、ドア体４の内側から組込まれるＬ字部材を内側Ｌ字部材９とするが、該内側Ｌ字部材９は、一方の脚片である内側第一脚片９ａをドア体４上部の内面４ｃに突当て、他方の脚片である内側第二脚片９ｂをドア体４の上端面４ｄに突当てて、ドア体４の上部内側コーナー部に積層するように構成されている。また、ドア体４の外側から組込まれるＬ字部材を外側Ｌ字部材１０とするが、該外側Ｌ字部材１０は、一方の脚片である外側第一脚片１０ａをドア体４上部の外面４ｅに突当て、他方の脚片である外側第二脚片１０ｂをドア体４の上端面４ｄに積層された内側第二脚片９ｂの上面に突当てて、ドア体４の上部外側コーナー部に積層するように構成されている。
【００１２】
このように、ドア体側固定部材８である内外側Ｌ字部材９、１０同士は、内側Ｌ字部材９を組込んだ後、外側Ｌ字部材１０を組込み、内外側第一脚片９ａ、１０ａ同士がドア体４の内外面４ｃ、４ｅに突当て状に当接し、内外側第二脚片９ｂ、１０ｂ同士がドア体４の上端面４ｄにおいて上下方向に積層した状態で組込まれるように構成されている。これによって、ドア体４のドア厚に寸法誤差があるような場合でも、内外側第二脚片９ｂ、１０ｂをドア厚方向における積層量を変化させることで、第一脚片９ａ、１０ａがドア体内外面４ｃ、４ｅに確実に当接した状態で組込むことができて、ドア体側固定部材８がドア体４に対してガタつくことがないようにできる。さらには、ドア体側固定部材８を介してドア体４に作用する負荷をドア体上端面４ｄだけでなく、ドア体内外面４ｃ、４ｄに対して確実に分散、伝達することができるように構成されている。そのうえ、ドア厚の異なるドア体に対しても、内外側第二脚片９ｂ、１０ｂをドア体上端面に積層したとき、これらのドア厚方向の積層代が予め設定される長さだけ確保できるのであれば、内外側第二脚片９ｂ、１０ｂをずらして積層することにより、これら内外側Ｌ字部材９、１０をそのままドア厚の異なるドア体に用いることができるように構成されている。そして、内外側Ｌ字部材９、１０は前記組込んだ状態において、内外側第二脚片９ｂ、１０ｂのドア幅方向両端部において一対のドア体固定用螺子１１を用いてドア体上端面４ｄに螺着することでドア体４に一体固定されるように構成されている。
【００１３】
ここで、前記内側Ｌ字部材９は、所定の板厚を有した平板状のプレート体をＬ字状に折曲形成されたものとなっている。一方、外側Ｌ字部材１０は前記内側Ｌ字部材９の略二倍の板厚を有した平板状のプレート体をＬ字状に折曲形成されている。そして、外側Ｌ字部材１０は、ドア幅方向の長さが内側Ｌ字部材９の幅方向の長さよりも長く形成されていて、ドア体４への固定状態において内側第二脚片９ｂの上側に積層される外側第二脚片１０ｂは、下面の前記幅方向中間部に内側第二脚片９ｂを嵌入する切り欠き凹部１０ｃが形成されており、内外側第二脚片９ｂ、１０ｂ同士を上下方向に当接して積層したとき、これらの下面同士が面一状となるように形成されている。これによって、内外側Ｌ字部材９、１０をドア体４に固定したとき、内側第二脚片９ｂの下面と、外側第二脚片１０ｂの幅方向両端部１０ｄの下面とが、ドア体４の上端面４ｄに突当たり、ドア体４側からの負荷が内外側Ｌ字部材９、１０の両者に対して確実に分散、伝達されるように構成されている。
さらに、外側第二脚片１０ｂの上面には、ドア厚方向に長い四本の第一、第二、第三、第四位置決め溝１０ｅ、１０ｆ、１０ｇ、１０ｈが、それぞれドア幅方向に所定間隙を存して浅溝状に形成されている。そして、ドア幅方向両端部の第一、第四位置決め溝１０ｅ、１０ｈのドア厚方向適宜位置において、一対のドア体固定用螺子１１を螺入することによりドア体側固定部材８がドア体上端面４ｄに螺着されるが、このとき、第一、第四位置決め溝１０ｅ、１０ｈにおいてドア体固定用螺子１１を螺入することにより、これらドア体固定用螺子１１の螺着位置が位置決めされて、ドア体４に対してバランスよく固定することができるように構成されている。
【００１４】
１２は作動ピンであって、該作動ピン１２は、上端部が前記アーム体７の長孔７ｂに嵌入しており、作動ピン１２の上端部に嵌着されたストッパ片１２ａにより長孔７ｂから抜止めされ、かつ、長孔７ｂ内を移動自在となる状態でアーム体７に連結されている。前記作動ピン１２は、前記ドア体側固定部材８の幅方向中間部に固定されるが、作動ピン１２の下端部には四角形状の金属製の支持プレート１２ｂが一体化されている。前記支持プレート１２ｂのドア幅方向両端部には作動ピン固定用螺子１３を螺入するための一対の螺子用孔１２ｃが開設されている。そして、支持プレート１２ｂは、ドア体側固定部材８の上側に積層する外側第二脚片１０ｂに突当てて固定されるが、この突当て状態において、螺子用孔１２ｃを介して外側第二脚片１０ｂの上面に形成された第二、第三位置決め溝１０ｆ、１０ｇが臨めるように構成されている。そして、各螺子用孔１２ｃから一対の作動ピン固定用螺子１３を挿し込み、各作動ピン固定用螺子１３をそれぞれ第二、第三位置決め溝１０ｆ、１０ｇに螺入することにより、作動ピン１２がドア体側固定部材８に対して位置決めした状態でバランスよく固定できるように構成されている。
ここで、外側Ｌ字部材１０の第二脚片１０ｂに形成される第一、第二、第三、第四位置決め溝１０ｅ、１０ｆ、１０ｇ、１０ｈは、ドア体固定用螺子１１や作動ピン固定用螺子１３を位置決め状に螺合することができるばかりでなく、外側第二脚片１０ｂの板厚を薄くすることができるので、これら螺子１１、１３の螺入作業（螺合作業）が容易になって作業性が向上するという利点がある。しかも、工具を用いて螺子１１、１３を螺入する際に、工具の強い回転力が作用しても螺子１１、１３の螺入位置がずれてしまうようなことがなく、正確な位置決め状態で螺入できるという利点もある。
【００１５】
このように、前記アーム体７は、基端部が躯体側固定部材５に枢支連結され、先端部がドア体側固定部材８に対して移動自在な状態で枢支連結されるように構成されている。そして、ドア体４の全閉姿勢において、開放規制装置Ｓは、図３に示すように、アーム体７がドア体上端面４ｄに対向する部位に位置しており、このとき、ドア体側固定部材８の作動ピン１２は長孔７ｂの基端側部位に位置するように構成されている。そして、ドア体４が開放操作された場合に、ドア体４の開放揺動に追随して揺動変位する作動ピン１２が、アーム体７の長孔７ｂ内を先端側に向けて移動しながらアーム体７を開放方向に揺動せしめ、作動ピン１２が長孔７ｂの先端縁部に達して移動規制を受けることにより、ドア体４の所定の開放位置を越える開放方向への揺動が規制されるように構成されている。
そして、ドア体４が強い力で開放されたような場合に、作動ピン１２がアーム体７の長孔７ｂの先端縁部に強く押し付けられて、ドア体側固定部材８にも大きな負荷が作用するが、該負荷は、ドア体上端面４ｄに当接する内外側第二脚片９ｂ、１０ｂだけでなく、ドア体内外面４ｃ、４ｅに当接する内外側第一脚片９ａ、１０ａ側にも作用することになって、負荷がドア体上端面４ｄに集中することがなく、ドア体固定用螺子１１が脱落したり、ドア体上端面４ｄが破損するようなことを防止できるように構成されている。
【００１６】
さらに、前記ドア体側固定部材８において、内側Ｌ字部材９は、内側第一、第二脚片９ａ、９ｂのそれぞれの延出長さが異なるように形成されている。つまり、本実施の形態では、ドア体４の内面４ｃに当接する内側第一脚片９ａがドア体４の上端面４ｄに突当てられる内側第二脚片９ｂよりも短く、内側第一脚片９ａの長さは２０ｍｍ、内側第二脚片９ｂの長さは３０ｍｍに設定されている。一方、外側Ｌ字部材１０の第二脚片１０ｂの延出方向の長さは２０ｍｍに設定されている。このため、前述したように、内外側第一脚片９ａ、１０ａ同士をドア体内外面４ｃ、４ｅに当接させる構成とした場合では、これら内外側Ｌ字部材９、１０を、内側第二脚片９ｂの長さよりも長いドア厚を有したドア体、即ち、ドア厚３０ｍｍ以上、４０ｍｍ以下（内外側第二脚片９ｂ、１０ｂ同士の積層代を考慮）のドア体に用いることができる（図５（Ａ）、（Ｂ）参照）。これに対し、内側Ｌ字部材９の長さの異なる第一、第二脚片９ａ、９ｂを逆転、即ち、第一脚片９ａを第二脚片としてドア体上端面４ｄに、第二脚片９ｂを第一脚片としてドア体内面４ｃにそれぞれ突当てるような組込み状態とした場合では、これら内外側Ｌ字部材９、１０を、ドア厚２０ｍｍ以上、３０ｍｍ以下のドア体に用いることができる（図５（Ｃ）参照）。これによって、内外側Ｌ字部材９、１０を異なるドア厚のドア体に適用することができて、異なるドア厚のドア体に対してそれぞれ専用のＬ字部材を用意する必要がなくなって、在庫管理が容易になるように構成されている。因みに、一般的なドア体のドア厚は２０ｍｍ〜４０ｍｍであることから、前記寸法に設定された内外側Ｌ字部材９、１０を用意することで、一般的なドア体の全てに対応することができるように構成されている。
【００１７】
叙述の如く構成された本形態において、ドア体４の開放規制をするための開放規制装置Ｓは、躯体側固定部材５とドア体側固定部材８と、これら固定部材５、８のあいだに連結されるアーム体７とにより構成されるが、前記ドア体上端面４ｄに螺着されるドア体側固定部材８は、ドア体４の内外面４ｃ、４ｅに当接する内外側第一脚片９ａ、１０ａを備えて構成されているので、ドア体側固定部材８に作用する負荷を、ドア体上端面４ｄだけでなくドア体内外面４ｃ、４ｅでも受け止めることができ、ドア体上端面４ｄに負荷が集中することが回避されて、ドア体側固定部材８の脱落やドア体上端面４ｄの破損を防止できる。さらに、この場合に、ドア体側固定部材８は、一対の内外側Ｌ字部材９、１０を用いる構成としたので、ドア体４の上端面４ｄに積層状に突当てられる内外側第二脚片９ｂ、１０ｂ同士の積層量を適宜変化させることにより、ドア体４のドア厚の寸法に誤差があったような場合であっても、内外側第一脚片９ａ、１０ａをドア体４の内外面４ｃ、４ｅに突当てた状態でガタつきなく固定することができて、ドア体側固定部材８に作用する負荷をドア体の内外面４ｃ、４ｅに確実に分散させることができる。しかも、内外側第二脚片９ｂ、１０ｂ同士の積層量を変化させることで、一組の内外側Ｌ字部材９、１０を用意するだけで、異なるドア厚のドア体に対してもドア体側固定部材８として用いることができ、これによって、開放規制装置Ｓを異なるドア厚のドア体にも用いることができて、部材の兼用化が図れて在庫管理が容易になる。
【００１８】
さらに、このものでは、内側Ｌ字部材９の第一、第二脚片９ａ、９ｂの延出長さがそれぞれ異なるように形成されているので、内側Ｌ字部材９の第一、第二脚片９ａ、９ｂを逆転させた状態、即ち、第一脚片９ａをドア体上端面４ｄに、第二脚片９ｂをドア体内面４ｃに突当てるように組込むことで、ドア厚の狭い（薄い）ドア体にも取付けることが可能となり、一組の内外側Ｌ字部材９、１０を、さらに複数のドア厚の異なるドア体のドア体側固定部材８として用いることが可能となって、さらなる部材の兼用化を図ることができる。
【００１９】
そのうえ、このものでは、ドア体上端面４ｄに積層する内外第二脚片９ｂ、１０ｂのうち、上側に積層する外側第二脚片１０ｂの上面に、ドア体固定用螺子１１と作動ピン固定用螺子１３とを位置決め状に螺合するための第一、第二、第三、第四位置決め溝１０ｅ、１０ｆ、１０ｇ、１０ｈがドア厚方向に長く形成されているので、内側第二脚片９ｂを外側第二脚片１０ｂに対して位置ズレさせて積層量を変化させた状態に組込んでも、ドア体固定用螺子１１と作動ピン固定用螺子１２とのドア幅方向の螺合位置を容易に認識して、バランスよく螺着することが可能となり、取付け作業の作業性を向上できる。
【００２０】
尚、本発明は前記実施の形態に限定されないことは勿論であって、一対のＬ字部材で構成されるドア体側固定部材としては、図６、７に示す第二の実施の形態のようにすることもできる。尚、第二の実施の形態において、ドア体側固定部材１４以外の部材構成は前記第一の実施の形態と同様であるので、同様の符号を付すことで説明を省略する。
前記第二の実施の形態のドア体側固定部材１４を構成する一対のＬ字部材は、それぞれ内外側Ｌ字部材１５、１６として構成され、ドア体４の内外面４ｃ、４ｅに突当てられる内外側第一脚片１５ａ、１６ａと、ドア体４の上端面４ｄに突当てられる内外側第二脚片１５ｂ、１６ｂを備えて構成されていることは前記第一の実施の形態と同様である。そして、このものでは、外側Ｌ字部材１６をドア体外面４ｅと上端面４ｄとに突当てる状態で組込み、次いで内側Ｌ字部材１５をドア体内面４ｃと外側第二脚片１６ｂの上面に突当てて積層する状態で組込むように構成されている。前記外側Ｌ字部材１６の板厚は内側Ｌ字部材１５の板厚の略二倍に形成され、外側Ｌ字部材１６のドア幅方向長さが内側Ｌ字部材１５のドア幅方向長さよりも長く形成されている。そして、外側第二脚片１６ｂは、上側に内側第二脚片１５ｂを積層したとき内外側第二脚片１５ｂ、１６ｂの上面が面一状となるように凹部１６ｃが形成されている。
このように構成された内外側Ｌ字部材１５、１６において、上側に積層される内側Ｌ字部材１５の第一、第二脚片１５ａ、１５ｂの外面に、浅溝状の第一、第二、第三、第四位置決め溝１５ｃ、１５ｄ、１５ｅ、１５ｆが形成されており、これら位置決め溝１５ｃ、１５ｄ、１５ｅ、１５ｆを基準としてドア体固定用螺子１１と図示しない作動ピン固定用螺子とを螺入することにより、これらの螺着位置をドア幅方向に位置決めできてバランスの良い固定状態とすることができるように構成されている。
【００２１】
そして、このものにおいても、内外側第二脚片１５ｂ、１６ｂ同士の積層量を調整することで、ドア体４のドア厚に寸法誤差があったり、板厚の異なるドア体に対しても、内外第一脚片１５ａ、１６ａをそれぞれドア体内外面４ｃ、４ｅに突当て、内外第二脚片１５ｂ、１６ｂをドア体上端面４ｄに突当てた状態でドア体側固定部材１４をドア体４に固定することができる。これによって、ドア体側固定部材１４への負荷をドア体４の上端面４ｄだけでなく内外面４ｃ、４ｅへも分散した状態で受け止めることができ、しかも、一種類のドア体側固定部材１４を複数のドア厚のドア体に組込むことができて、部材の兼用化を果すことができる。
さらに、このものでも、内側Ｌ字部材１５の第一、第二脚片１５ａ、１５ｂを異なる長さに形成し、第一、第二脚片１５ａ、１５ｂを逆転してドア体４に組込むことにより、図７（Ａ）、（Ｂ）、（Ｃ）に示すように、複数のドア厚の異なるドア体のドア体側固定部材１４とすることができ、部材の兼用化をさらに図ることができる。
【産業上の利用可能性】
【００２２】
本発明は、病院やサービスエリアのトイレブース等に設けられる開き戸装置であって、特に外開き式の開き戸装置における開放規制装置に利用することができる。
【符号の説明】
【００２３】
１  トイレブース
２  上フレーム体
４  ドア体
４ｃ  内面
４ｄ  上端面
４ｅ  外面
５  躯体側固定部材
６  連結ピン
７  アーム体
７ｂ  長孔
８  ドア体側固定部材
９  内側Ｌ字部材
９ａ  内側第一脚片
９ｂ  内側第二脚片
１０  外側Ｌ字部材
１０ｅ  第一位置決め溝
１１  ドア体固定用螺子
１２  作動ピン
１３  作動ピン固定用螺子
【図１】
2011137304.tif 000003
【図２】
2011137304.tif 000004
【図３】
2011137304.tif 000005
【図４】
2011137304.tif 000006
【図５】
2011137304.tif 000007
【図６】
2011137304.tif 000008
【図７】
2011137304.tif 000009